(57)【要約】【課題】本発明は、レセプタクルハウジングに関し、コンタクト収納孔に収納する雌コネクタが周囲の電子部品と短絡しないようにする事が課題である。【解決手段】一対の雌コンタクト２をコンタクト収納孔に収納してこれを複数併設する雌型のハウジングにおいて、前記一対の雌コンタクト２が背向配置にしてコンタクト収納孔３に収納されるようにされ、その一対の雌コンタクトにおける相手側接触部同士の間には絶縁壁を設けずに空間部５とし、前記空間部以外の前記雌コンタクトの長手方向に沿った周壁面は前記ハウジングのコンタクト収納孔３を形成する壁で囲堯されており、前記空間部５の下部には、前記一対のコンタクトの相手側接触部の背面側下部に設けられた抜止め係止片を係止するランス止め部６が形成されているレセプタクルハウジング１とするものである。【選択図】図１
2008262773.tif 000002
【特許請求の範囲】
【請求項１】
一対の雌コンタクトをコンタクト収納孔に収納してこれを複数併設する雌型のハウジングにおいて、
前記一対の雌コンタクトが背向配置にしてコンタクト収納孔に収納されるようにされ、
その一対の雌コンタクトにおける相手側接触部同士の間には絶縁壁を設けずに空間部とし、
前記空間部以外の前記雌コンタクトの長手方向に沿った周壁面は前記ハウジングのコンタクト収納孔を形成する壁で囲堯されており、
前記空間部の下部には、前記一対のコンタクトの相手側接触部の背面側下部に設けられた抜止め係止片を係止するランス止め部が形成されていること、
を特徴とするレセプタクルハウジング。
【請求項２】
コンタクト収納孔の上部に開口している雄コンタクト挿入口の下部近傍には、誤挿入された雌コンタクトの頭部の上端面に衝突して誤挿入を防止する誤挿入防止用段部が、コンタクト収納孔の内側に突出され設けられていること、
を特徴とする請求項１に記載のレセプタクルハウジング。
【請求項３】
請求項１又は請求項２に記載のレセプタクルハウジングと、該レセプタクルハウジングのコンタクト収納孔に収納された雌コンタクトとからなり、一対のコンタクト収納孔に前記雌コンタクトが背向して収納され、この雌コンタクト２の背面から外側に突出された抜け止め係止片が、前記レセプタクルハウジング側の空間部の下部に形成されたランス止め部に係止されていること、
を特徴とするレセプタクルコネクタ。
【発明の詳細な説明】
【技術分野】
【０００１】
本発明は、例えば、少なくとも一対の雌型コンタクトを圧着によってコンタクト収納孔に固定するレセプタクルハウジングとそれを使用するレセプタクルコネクタに関するものである。
【背景技術】
【０００２】
従来、レセプタクルコネクタにおいて、所望のピッチで一対のコンタクト用収納孔を平行に多数併設する絶縁性ハウジング２０は、図６乃至図７に示すように、当該ハウジング２０を平面視すると、コンタクト収納孔２１がピッチａで一対にして平行に多数併設され、同図（Ｂ）に示すように、側壁面に開口部２２があり、Ｘ−Ｘ、Ｙ−Ｙ線に沿った各々の断面図が図７（Ａ），（Ｂ）に示すようになっている。前記コンタクト収納孔２１の内側には、コンタクトの一部に当接してこれのバネ性を利用して変形させ係止させるモールドランス２３が形成されている。
【０００３】
そして、図８に示すように、前記コンタクト収納孔２１に挿入される雌コンタクト２４は、頭部２４ａと、接触部２４ｂと、線材２６（図９参照）の心線を圧着するバレル部２４ｃ、係止突部２４ｄとからなる。この雌コンタクト２４を、図９に示すように、絶縁性ハウジング２０のコンタクト収納孔２１の下側開口部２１ａから、線材２６をバレル部２４ｃにかしめて接続し挿入する。これにより、雌コンタクト２４の係止突部２４ｄがコンタクト収納孔２１のモールドランス２３を越えて開口部２２に係止される。
【０００４】
また、コンタクト側にランスを設けるものとして、図９に示すように、ハウジング２０の右側のコンタクト収納孔２１において、係止用のコンタクトランス２４ｅを設けられた雌コンタクト２４の場合には、前記ハウジング２０のコンタクト収納孔２１の開口部２２に、前記コンタクトランス２４ｅの下端部が係止される。一対の雌コンタクト２４は、互いに背向させて一対のコンタクト収納孔２１に配設される。この様なレセプタクルコネクタ２５が知られている（特許文献１参照）。
【特許文献１】特開２００１−２９１５４６号公報
【発明の開示】
【発明が解決しようとする課題】
【０００５】
しかし、従来のレセプタクルコネクタ２５では、開口部２２に係止突部２４ｄ若しくはコンタクトランス２４ｅの下端部が外部に露出しているので、絶縁性ハウジング２０の周囲に極めて接近して配設される電気・電子部品の導電性部分と接触して、短絡してしまうおそれがある。また、これを回避しようにも、一対のコンタクト２４のピッチａは、約２ｍｍであって極めて狭いピッチなので、単に、露出しないようにコンタクト収納孔２１の前記開口部２２を閉鎖して、前記雌コンタクト２４，２４を向き合わせるようとしても、そのままではピッチａが狭すぎて係止突部等が衝突して配置することができない。本発明に係るレセプタクルハウジングは、このような課題を解決するために提案されたものである。
【課題を解決するための手段】
【０００６】
本発明に係るレセプタクルハウジングの上記課題を解決して目的を達成するための要旨は、一対の雌コンタクトをコンタクト収納孔に収納してこれを複数併設する雌型のハウジングにおいて、前記一対の雌コンタクトが背向配置にしてコンタクト収納孔に収納されるようにされ、その一対の雌コンタクトにおける相手側接触部同士の間には絶縁壁を設けずに空間部とし、  前記空間部以外の前記雌コンタクトの長手方向に沿った周壁面は前記ハウジングのコンタクト収納孔を形成する壁で囲堯されており、前記空間部の下部には、前記一対のコンタクトの相手側接触部の背面側下部に設けられた抜止め係止片を係止するランス止め部が形成されていることである。
【０００７】
また、コンタクト収納孔の上部に開口している雄コンタクト挿入口の下部近傍には、誤挿入された雌コンタクトの頭部の上端面に衝突して誤挿入を防止する誤挿入防止用段部が、コンタクト収納孔の内側に突出され設けられていること、；
を含むものである。
【０００８】
本発明に係るレセプタクルコネクタの上記課題を解決するための要旨は、前記レセプタクルハウジングと、該レセプタクルハウジングのコンタクト収納孔に収納された雌コンタクトとからなり、一対のコンタクト収納孔に前記雌コンタクトが背向して収納され、この雌コンタクト２の背面から外側に突出された抜け止め係止片が、前記レセプタクルハウジング側の空間部の下部に形成されたランス止め部に係止されていることである。
【発明の効果】
【０００９】
本発明のレセプタクルハウジングによれば、コンタクトの背面側に抜け止め係止片を形成して、これをハウジングの内側に向けるように一対のコンタクトを背向させるので、ハウジングからコンタクトの一部が外部に露出することが無く、周囲の導電性の部品と短絡することがない。更に、ハウジングの側壁面に開口部が不要となって、当該レセプタクルハウジング用の金型を、アンダーカット部を無くして容易に作成することができるようになり、製作コストを削減することができる。
【００１０】
また、誤挿入防止用段部があるので、コンタクトをコンタクト収納孔に途中まで挿入してもそれ以上挿入することができず、コンタクトを誤挿入のまま無理に差し込んでしまうことがない。これにより、コンタクトの誤挿入を未然に防止できる。
更に、そのようなレセプタクルハウジングにより、短絡のおそれのないレセプタクルコネクタを得ることができる。
【発明を実施するための最良の形態】
【００１１】
本発明に係るレセプタクルハウジング１は、図１乃至図２に示すように、一対の雌コンタクト２，２（図３参照）を一対のコンタクト収納孔３，３に収納して、これを当該ハウジング１の長手方向に複数併設する雌型のハウジングにおいて、前記一対の雌コンタクト２，２が背向配置にして前記コンタクト収納孔３，３に収納されるようにされている。前記コンタクト収納孔３，３も背向配置にされ対称形になっている。
【００１２】
また、前記一対のコンタクト収納孔３，３に雌コンタクト２が収納された状態において、該一対の雌コンタクト２における相手側接触部２ａ，２ａ同士の間には、絶縁壁を設けずに上側に開口する空間部５としている。そして、前記空間部５以外の前記雌コンタクト２の長手方向に沿った周壁面の周囲は、前記ハウジング１のコンタクト収納孔３を形成する収納壁３ａで囲堯されている。
【００１３】
前記空間部５の下部には、前記一対の雌コンタクト２の相手側接触部２ａの背面側下部に設けられた抜止め係止片（コンタクトランス２ｆ）に係合するランス止め部６が形成されている。このランス止め部６は、前記空間部５の底面位置を規定するように形成される底部６ａ，６ｂと、その両底部６ａ，６ｂの中間に位置するランス係止用の隔壁６ｃとによって形成されている。
【００１４】
更に、このレセプタクルハウジング１においては、前記コンタクト収納孔３の上部に開口している雄コンタクト挿入口３ｂの下部近傍には、誤挿入された雌コンタクト２の頭部２ｃの基板部２ｂ（図３参照）における上端面に衝突して、誤挿入を防止する誤挿入防止用段部７が、左右の収納壁３ａから空間部５に向かって内側に突出されて設けられている。また、下部中央には、位置決め用の突起４が設けられている。
【００１５】
一方、雌コンタクト２は、図３に示すように、雄コンタクトが差し込まれて電気的接触が図られる相手側接触部２ａと、前記コ字型の頭部２ｃと、線材２６（図９参照）の心線を圧着するバレル部２ｄと、当該コンタクト２の背面基板２ｅから外側（心線２６を圧着する側を内側とする）に切り起こされた、受け止め係止片であるコンタクトランス２ｆとからなる。
【００１６】
前記雌コンタクト２のコンタクトランス２ｆは、前記レセプタクルハウジング１の一対のコンタクト収納孔３，３に、背向させて挿入し圧入するために、背面基板２ｅから外側に傾斜させて一端側を突出させている。
【００１７】
このような前記レセプタクルハウジング１と前記雌コンタクト２との組み合わせにより、レセプタクルコネクタ８に組み立てると、図４に示すように、雌コンタクト２に線材２６をバレル部２ｄにかしめて接続した後に、コンタクト収納孔３の下部開口部３ｃから、当該雌コンタクト２を、その頭部２ｃを先にして挿入する。
【００１８】
そして、前記雌コンタクト２の頭部２ｃの上端面が、雄コンタクト挿入口３ｂの下面に衝突するまで押し込む。すると、コンタクト収納孔３の周壁面に規制されていたコンタクトランス２ｆの下端部が、ランス止め部６に至って空間部５の方へと飛び出す。これにより、雌コンタクト２の抜け止めとなる。
【００１９】
こうして、レセプタクルハウジング１によって、狭いピッチ（例えば、２ｍｍ）ａのコンタクト収納孔３，３に、雌コンタクト２，２が背向して挿入される。その雌コンタクト２の側面においは、前記レセプタクルハウジング１のコンタクト収納孔３を形成する側壁で囲繞され、外部に露出することが無く、高密度に実装される近傍の電子部品との短絡のおそれが無くなる。
【００２０】
また、誤挿入防止用段部７が設けられているので、コンタクト収納孔３に雌コンタクト２の向きを間違えて挿入しても、雌コンタクト２の頭部２ｃの上端面が前記段部７に衝突してそれ以上入らなくなり、コンタクトランス２ｆがランス止め部６に係合しない状態となって、誤挿入であることがすぐに判る。
【００２１】
更に、前記雌コンタクト２を背向させたその間は、ここに隔壁を設けるとハウジング用金型の製造が困難になりコストの高騰を招くことになるが、空間部５とすることによって、それを避けるものである。このほか、この空間部５に、図５に示すような先端が細くなった板状の治具９を形成して差し込み、コンタクトランス２ｆを背面基板２ｅ側に後退させて、雌コンタクト２を下部開口部３ｃから下側へと脱着させるようにできる。
【００２２】
こうして、本発明に係るレセプタクルコネクタ８により、狭いピッチａのままで、雌コンタクト２の一部と、周囲に配設される電子部品との電気的な短絡を解消して、安全性を確保することができる。また、このレセプタクルコネクタ８におけるハウジング１を形成する金型も、アンダーカット部がなくなり、コスト削減となる。
【図面の簡単な説明】
【００２３】
【図１】本発明に係るレセプタクルハウジング１の平面図（Ａ），正面図（Ｂ），側面図（Ｃ）である。
【図２】同本発明のレセプタクルハウジング１における、図１（Ａ）のＹ−Ｙ線に沿った断面図（Ａ），同Ｘ−Ｘ線に沿った断面図（Ｂ），同Ｚ−Ｚ線に沿った断面図である。
【図３】同本発明に係るレセプタクルコネクタ８の雌コンタクト２の製造工程における、正面図（Ａ），側面図（Ｂ），背面図（Ｃ）である。
【図４】同レセプタクルコネクタ８の組立の様子を示す縦断面図である。
【図５】同本発明に係るレセプタクルコネクタ８における雌コンタクト２の脱着用の治具９の正面図である。
【図６】従来例に係るレセプタクルハウジング２０の平面図（Ａ），正面図（Ｂ），側面図（Ｃ）である。
【図７】図６（Ａ）におけるＹ−Ｙ線に沿った断面図（Ａ），同Ｘ−Ｘ線に沿った断面図（Ｂ）である。
【図８】同従来例に係るレセプタクルコネクタの雌コンタクト２４の製造工程における、正面図（Ａ），側面図（Ｂ），背面図（Ｃ）である。
【図９】同従来例に係るレセプタクルコネクタ２５の断面図である。
【符号の説明】
【００２４】
１          レセプタクルハウジング、
２          雌コンタクト、                ２ａ        相手側接触部、
２ｂ        基板部、                      ２ｃ        頭部、
２ｄ        バレル部、                    ２ｅ        背面基板、
２ｆ        コンタクトランス、
３          コンタクト収納孔、            ３ａ        収納壁、
３ｂ        雄コンタクト挿入口、          ３ｃ        下部開口部、
４          位置決め用突起、
５          空間部、
６          ランス止め部、                ６ａ，６ｂ  底部、
６ｃ        隔壁、
７          誤挿入防止段部、
８          レセプタクルコネクタ、
９          治具、
２０        絶縁性ハウジング、            ２１        コンタクト収納孔、
２２        開口部、
２３        モールドランス、
２４        雌コンタクト、                ２４ａ      頭部、
２４ｂ      接触部、                      ２４ｃ      バレル部、
２４ｄ      係止突部、                    ２４ｅ      コンタクトランス、
２５        レセプタクルコネクタ、
２６        線材。
【図１】
2008262773.tif 000003
【図２】
2008262773.tif 000004
【図３】
2008262773.tif 000005
【図４】
2008262773.tif 000006
【図５】
2008262773.tif 000007
【図６】
2008262773.tif 000008
【図７】
2008262773.tif 000009
【図８】
2008262773.tif 000010
【図９】
2008262773.tif 000011